(57)【要約】【課題】塵埃を圧縮された状態に保持したままで集塵動作を行なうことが可能な電気掃除機を提供する。【解決手段】電気掃除機１は、吸込口を有する吸込口体１０と、吸気を発生させる電動送風機部５４と、吸気を電動送風機部５４に導く吸気通路と、吸気通路に配置され、吸気から塵埃を分離して捕集するサイクロン集塵部１００と、サイクロン集塵部１００において捕集された塵埃を圧縮する塵埃圧縮室２１０と、捕集された塵埃をサイクロン集塵部１００から塵埃圧縮室２１０に移動させる円板２３１と蓋２３０と、塵埃圧縮室２１０で圧縮された塵埃を蓄積する塵埃蓄積室２２０と、塵埃圧縮室２１０内で塵埃を圧縮しながら、塵埃圧縮室２１０から塵埃蓄積室２２０に移動させるロータ２４０とロータ軸２４１とを備える。【選択図】図２
2009148345.tif 000002
【特許請求の範囲】
【請求項１】
吸込口を有する吸込口体と、
吸気を発生させる電動送風機と、
吸気を前記電動送風機に導く吸気通路と、
前記吸気通路に配置され、吸気から塵埃を分離して捕集する塵埃捕集室と、
前記塵埃捕集室において捕集された塵埃を圧縮する塵埃圧縮室と、
捕集された塵埃を前記塵埃捕集室から前記塵埃圧縮室に移動させる第１の塵埃移動部材と、
前記塵埃圧縮室で圧縮された塵埃を蓄積する塵埃蓄積室と、
前記塵埃圧縮室内で塵埃を圧縮しながら、前記塵埃圧縮室から前記塵埃蓄積室に移動させる第２の塵埃移動部材とを備える、電気掃除機。
【請求項２】
前記第１と第２の塵埃移動部材は、連動するように構成されている、請求項１に記載の電気掃除機。
【請求項３】
前記塵埃捕集室には、前記塵埃圧縮室に通じる開口部が形成されており、前記第１の塵埃移動部材は、前記塵埃捕集室の開口部を開放または閉塞することができるように配置された開閉部材を含む、請求項１または請求項２に記載の電気掃除機。
【請求項４】
前記塵埃捕集室は、吸気を旋回させて塵埃を分離する旋回分離部分と分離された塵埃を捕集する塵埃捕集部分とを含み、
前記塵埃捕集室内に流入する吸気を前記旋回分離部分と前記塵埃捕集部分との間で分断するために前記塵埃捕集室内に配置された分離部材をさらに備える、請求項１から請求項３までのいずれか１項に記載の電気掃除機。
【請求項５】
前記第１と第２の塵埃移動部材は、前記分離部材に連結されている、請求項４に記載の電気掃除機。
【請求項６】
前記分離部材を駆動させるための駆動部をさらに備える、請求項４または請求項５に記載の電気掃除機。
【請求項７】
前記塵埃圧縮室は内周壁面を有し、
前記第２の塵埃移動部材は、捕集された塵埃を前記塵埃圧縮室の内周壁面に押圧しながら移動させるように回転する回転部材を含む、請求項１から請求項６までのいずれか１項に記載の電気掃除機。
【請求項８】
前記塵埃圧縮室の内周壁面は、ペリトロコイド曲線に基づく曲面を含み、
前記回転部材は、前記塵埃圧縮室の内周壁面に対向する側壁面を有し、
前記回転部材の側壁面は、ペリトロコイド曲線の内包絡線に基づく曲面を含む、請求項７に記載の電気掃除機。
【請求項９】
前記第１と第２の塵埃移動部材は、前記電動送風機が駆動を停止した後に移動を開始するように構成されている、請求項１から請求項８までのいずれか１項に記載の電気掃除機。
【発明の詳細な説明】
【技術分野】
【０００１】
この発明は、一般的には電気掃除機に関する。
【背景技術】
【０００２】
従来、電気掃除機としては、例えば、塵埃を含んだ気流を旋回させ、塵埃に遠心力を与えることで気流から分離して集塵室に塵埃を蓄積する、サイクロン集塵装置を備えるものがある。特許第３７８８５８９号公報（特許文献１）には、このようなサイクロン集塵装置を備えた電気掃除機が記載されている。
【０００３】
このような、従来の電気掃除機を一般家庭において使用すると、布団や衣類から生じる綿ホコリが集塵室内に堆積するごみの大半を占めることになる。綿ホコリは、繊維等によって構成され、弾性を持つので、集塵室に捕集されただけでは圧縮されず、集塵室に堆積する塵埃の密度が低くなる。そのため、集塵室内の塵埃を電気掃除機の外部のごみ箱などに廃棄するときに、塵埃が舞い散って再飛散し、使用者が不快に感じることがある。また、集塵室の内部に蓄積された塵埃の体積が大きくなると電気掃除機の吸引力が低下するので、使用者が集塵室の塵埃を頻繁に廃棄して、集塵室の内部の塵埃の体積を少なくしておく必要がある。
【０００４】
例えば、特開２００５−１３３１２号公報（特許文献２）には、塵埃の圧縮を行なう除塵圧縮手段を集塵部内に設けて、集塵部に捕集された塵埃を圧縮し、集塵部に捕集された塵埃の除去回数を減らそうとする電気掃除機が記載されている。この電気掃除機においては、放射状に波打った略円錐形状の鍔を、操作手段であるハンドルを介して、集塵部上方より押し下げることによって、集塵部内に捕集された塵埃を圧縮する。
【特許文献１】特許第３７８８５８９号公報
【特許文献２】特開２００５−１３３１２号公報
【発明の開示】
【発明が解決しようとする課題】
【０００５】
しかしながら、特開２００５−１３３１２号公報（特許文献２）に記載の電気掃除機では、次回運転時には、鍔を押し上げて、元の位置に戻さなくてはならない。このとき、綿ホコリ等の形状が復元しやすい塵埃は、圧縮前に近い容積に戻るので、圧縮動作の効果が損なわれてしまう。
【０００６】
そこで、この発明の目的は、塵埃を圧縮された状態に保持したままで集塵動作を行なうことが可能な電気掃除機を提供することである。
【課題を解決するための手段】
【０００７】
この発明に従った電気掃除機は、吸込口を有する吸込口体と、吸気を発生させる電動送風機と、吸気を電動送風機に導く吸気通路と、吸気通路に配置され、吸気から塵埃を分離して捕集する塵埃捕集室と、塵埃捕集室において捕集された塵埃を圧縮する塵埃圧縮室と、捕集された塵埃を塵埃捕集室から塵埃圧縮室に移動させる第１の塵埃移動部材と、塵埃圧縮室で圧縮された塵埃を蓄積する塵埃蓄積室と、塵埃圧縮室内で塵埃を圧縮しながら、塵埃圧縮室から塵埃蓄積室に移動させる第２の塵埃移動部材とを備える。
【０００８】
電動送風機の駆動によって吸気が発生すると、吸込口体の吸込口から、外気とともに塵埃が電気掃除機の内部に吸引される。電気掃除機の内部に吸引された塵埃は、塵埃捕集室内に捕集される。このとき、塵埃に弾性のある綿ホコリ等が含まれていると、塵埃は、密度が低く、体積が大きい状態で塵埃捕集室内に捕集される。
【０００９】
塵埃捕集室内に捕集されている塵埃は、第１の塵埃移動部材によって、塵埃圧縮室に移動させられる。塵埃圧縮室においては、塵埃は、第２の塵埃移動部材によって、圧縮されながら、塵埃蓄積室に移動させられて、圧縮された状態で、塵埃蓄積室の内部に蓄積される。
【００１０】
このように、塵埃は圧縮された状態で塵埃蓄積室の内部に蓄積される。そのため、電気掃除機が、綿ホコリのような、弾性を有し、密度が小さく体積が大きい塵埃を吸引しても、塵埃蓄積室の内部に堆積する塵埃の体積を小さく保つことができる。このようにすることにより、使用者は、塵埃を頻繁に電気掃除機の外部に廃棄する必要がなくなる。
【００１１】
また、塵埃を蓄積する塵埃蓄積室は、塵埃を捕集する塵埃捕集室とは別個に形成されている。そのため、圧縮された塵埃を、圧縮した状態で塵埃蓄積室内に蓄積したままで、電動送風機を駆動して、電気掃除機が新たに外気とともに塵埃を吸引し、塵埃捕集室内において新たに塵埃を捕集することができる。
【００１２】
塵埃捕集室と塵埃蓄積室が別個に形成されているので、電動送風機を駆動して新たな塵埃を吸引し、塵埃捕集室内に捕集する際、既に塵埃蓄積室内に蓄積された塵埃は、塵埃蓄積室内において圧縮された状態に保たれる。塵埃を長時間、圧縮された状態に保つことによって、綿ホコリのように弾性を有し、膨らみやすく、圧縮前の形状に復元されやすい塵埃も、完全に圧縮されるので、膨らんで元の状態に戻りにくくなる。
【００１３】
このようにすることにより、塵埃を圧縮された状態に保持したままで集塵動作を行なうことが可能な電気掃除機を提供することができる。
【００１４】
この発明に従った電気掃除機においては、第１と第２の塵埃移動部材は、連動するように構成されていることが好ましい。
【００１５】
このようにすることにより、塵埃を効率よく塵埃捕集室から塵埃圧縮室、塵埃蓄積室へと移動させることができる。
【００１６】
この発明に従った電気掃除機においては、塵埃捕集室には、塵埃圧縮室に通じる開口部が形成されており、第１の塵埃移動部材は、塵埃捕集室の開口部を開放または閉塞することができるように配置された開閉部材を含むことが好ましい。
【００１７】
このようにすることにより、塵埃蓄積室や塵埃圧縮室内の塵埃が、塵埃捕集室内に逆流することを防ぐことができる。
【００１８】
この発明に従った電気掃除機においては、塵埃捕集室は、吸気を旋回させて塵埃を分離する旋回分離部分と分離された塵埃を捕集する塵埃捕集部分とを含み、塵埃捕集室内に流入する吸気を旋回分離部分と塵埃捕集部分との間で分断するために塵埃捕集室内に配置された分離部材をさらに備えることが好ましい。
【００１９】
このようにすることにより、遠心力を利用して、気流から塵埃を効果的に分離し、塵埃捕集室内に捕集することができる。
【００２０】
この発明に従った電気掃除機においては、第１と第２の塵埃移動部材は、分離部材に連結されていることが好ましい。
【００２１】
このようにすることにより、電気掃除機の構成部材を減らし、電気掃除機を小型化することができる。
【００２２】
この発明に従った電気掃除機は、分離部材を駆動させるための駆動部をさらに備えることが好ましい。
【００２３】
このようにすることにより、分離部材に付着している塵埃を振り落として、塵埃捕集室内に残る塵埃をより少なくすることができる。
【００２４】
この発明に従った電気掃除機においては、塵埃圧縮室は内周壁面を有し、第２の塵埃移動部材は、捕集された塵埃を塵埃圧縮室の内周壁面に押圧しながら移動させるように回転する回転部材を含むことが好ましい。
【００２５】
このようにすることにより、塵埃を効率よく圧縮することができる。
【００２６】
この発明に従った電気掃除機においては、塵埃圧縮室の内周壁面は、ペリトロコイド曲線に基づく曲面を含み、回転部材は、塵埃圧縮室の内周壁面に対向する側壁面を有し、回転部材の側壁面は、ペリトロコイド曲線の内包絡線に基づく曲面を含むことが好ましい。
【００２７】
このようにすることにより、回転動力によって塵埃を直接、圧縮することができる。
【００２８】
この発明に従った電気掃除機においては、第１と第２の塵埃移動部材は、電動送風機が駆動を停止した後に移動を開始するように構成されていることが好ましい。
【００２９】
このようにすることにより、電動送風機において発生する吸引力によって塵埃が塵埃捕集室等に逆流することがなくなる。
【発明の効果】
【００３０】
以上のように、この発明によれば、塵埃を圧縮された状態に保持したままで集塵動作を行なうことが可能な電気掃除機を提供することができる。
【発明を実施するための最良の形態】
【００３１】
以下、この発明の実施の形態を図面に基づいて説明する。
【００３２】
（第１実施形態）
図１は、この発明の第１実施形態として、電気掃除機の全体を概略的に示す図である。図中の二点鎖線は、吸気の流れる方向を示す。
【００３３】
図１に示すように、電気掃除機１は、吸込口を有する吸込口体１０と、吸気を発生させる電動送風機や集塵手段を収容する本体５０を備える。吸込口体１０には、吸気通路の一部として吸引パイプ２０、取っ手を備える接続パイプ３０、サクションホース４０が順次接続されて、サクションホース４０は本体５０に接続されている。吸込口から吸込口体１０の内部に流入した気体は、吸込口体１０、吸引パイプ２０、接続パイプ３０、サクションホース４０を順に通って、本体５０の内部に流入し、本体５０の内部において塵埃を除去されて、本体５０の外部に排気される。
【００３４】
図２は、この発明の第１実施形態として、電気掃除機の本体の構成を概略的に示す図である。図中の二点鎖線の矢印は、吸気の流れを示す。
【００３５】
図２に示すように、本体５０は内部に、集塵手段５１と、電動送風機として電動送風機部５４と、集塵手段５１と電動送風機部５４とを接続するための経路部５３と、電動送風機部５４から本体５０の外部へ排気するための排気経路部５７を備える。電気掃除機１の本体５０にはサクションホース４０が接続されており、電動送風機部５４を駆動させることによって、サクションホース４０内の吸気は、集塵手段５１に流入し、経路部５３を通って電動送風機部５４に流れ込み、排気経路部５７を通って、本体５０の外部に排気される。集塵手段５１と経路部５３は、吸込口体１０、吸引パイプ２０、接続パイプ３０、サクションホース４０とともに、吸気通路を構成する。
【００３６】
集塵手段５１の内部には、本発明の塵埃捕集室の一例であるサイクロン集塵部１００と、塵埃圧縮室２１０と、塵埃蓄積室２２０と、ろ過フィルタ５２とが配置されている。集塵手段５１に流入した吸気は、サイクロン集塵部１００およびろ過フィルタ５２で塵埃が除去された後、経路部５３を通って電動送風機部５４に吸入される。
【００３７】
電動送風機部５４は、空気を吸引するファン５５と、ファン５５を駆動するモータ５６とから構成されている。ファン５５から排出された気流は、モータ５６付近等を冷却しながら、排気経路部５７に到達して、本体５０の外部に排気される。
【００３８】
図３は、サイクロン集塵部の構造を示す断面図である。図中の二点鎖線の矢印は、気流の流れを示す。図４は、サイクロン集塵部を斜め下方向から見たときの構造を示す一部断面斜視図である。
【００３９】
図３と図４に示すように、サイクロン集塵部１００は、概略円筒形状に形成され、上部に配置された上蓋部１０１と、下部に配置されたダストカップ１０２とから構成されている。ダストカップ１０２の内壁面は、円筒の内面状に形成されており、凹状に湾曲している。ダストカップ１０２の側面には、入口として流入口１０３が設けられている。サイクロン集塵部１００に流入した塵埃を含む気流は、流入口１０３からダストカップ１０２の内部に、ダストカップ１０２の内壁面に接線をなすような角度で流入する。ダストカップ１０２の内部の空間は、遮蔽部材１０８によって、上部が旋回分離部分としての分離室１０４と、下部が塵埃捕集部分としての集積室１０５とに分けられている。分離室１０４の中心には排気筒１０６が配置される。排気筒１０６は、その底面が閉じられていて、その内部が上蓋部１０１の内部と連通するように上面が開口した円筒形の部材である。排気筒１０６の周壁には格子状に排気口１０７が形成されている。ダストカップ１０２の底面には、開口部として穴１２１が形成されている。
【００４０】
排気筒１０６の下端には、分離室１０４と集積室１０５の境界部である遮蔽部材１０８が接合されている。遮蔽部材１０８の外径は分離室１０４の内径および集積室１０５の内径より小さく、遮蔽部材１０８の外周と集積室１０５の内壁との間には隙間１０９が存在している。遮蔽部材１０８において、集積室１０５の底面に対向する面には、分離部材として分離ブレード１１０が接合されている。分離ブレード１１０は、湾曲した板状に形成されており、集積室１０５の底面に向かって延びるように遮蔽部材１０８の下面に接合されている。分離ブレード１１０は、遮蔽部材１０８から底面までほぼ鉛直に延びる円筒状の分離ブレード軸１１１を中心にして、分離ブレード軸１１１から放射状に延びるように、４枚取り付けられている。分離ブレード１１０は、分離ブレード軸１１１の駆動部によって、分離ブレード軸１１１の回転中心を中心にして回転可能であるように構成されている。
【００４１】
なお、本発明の塵埃捕集室の一例であるサイクロン集塵部１００では、気流がサイクロン集塵部１００の流入口１０３から流入して、矢印で示すように、ダストカップ１０２の分離室１０４と集積室１０５を通り、排気筒１０６からサイクロン集塵部１００の外部に気流が流出するまでの空間が、気体が流通するための流路を形成している。
【００４２】
図５は、塵埃圧縮室と塵埃蓄積室の全体を、遮蔽部材、分離ブレード、分離ブレード軸とともに示す斜視図である。図６は、塵埃圧縮室と塵埃蓄積室の全体を示す斜視図である。
【００４３】
図５と図６に示すように、塵埃圧縮室２１０と塵埃蓄積室２２０は、連結部２１１によって接続されている。連結部２１１は中空であり、塵埃圧縮室２１０内の塵埃は、連結部２１１を通って、塵埃蓄積室２２０内に移動することができる。塵埃圧縮室２１０の内部には、回転部材としてロータ２４０が配置される。
【００４４】
塵埃圧縮室２１０の内周壁面２１２は、ペリトロコイド曲線に基づく曲面を含むように形成されている。塵埃圧縮室２１０の内周壁面２１２の形状は、ペリトロコイド曲線の運動族
ｘ＝Ｒ・ｃｏｓ（β＋γ−θ）＋Ａ・ｃｏｓ（２β−θ）＋Ａ・ｃｏｓθ
ｙ＝Ｒ・ｓｉｎ(β＋γ−θ)＋Ａ・ｓｉｎ(２β−θ)＋Ａ・ｓｉｎθ
θ＝β−１／ａｒｃｔａｎ(Ｒ・ｓｉｎ(β−γ)／(Ｒ・ｃｏｓ(β−γ)＋２Ａ))
に基づく曲面である。
【００４５】
サイクロン集塵部１００（図４）の遮蔽部材１０８に接合されている分離ブレード１１０の分離ブレード軸１１１の下部には、円板２３１とロータ軸２４１が連結されている。円板２３１は、ダストカップ１０２（図４）の底面に形成されている穴１２１（図４）の開閉部材としての蓋２３０に接続されている。ロータ軸２４１は、ロータ２４０に接続され、ロータ２４０の回転軸を形成している。ロータ２４０は、ロータ軸２４１を中心にして、水平面内で回転可能であるように、ロータ軸２４１に取り付けられている。ロータ２４０の側壁面２４２は、ペリトロコイド曲線の内包絡線に基づく曲面を含むように形成されている。組立て時には、ロータ２４０の底面と、塵埃圧縮室２１０の内底面が接するように、矢印Ｃ方向に近接させる。
【００４６】
分離ブレード１１０の分離ブレード軸１１１の回転軸は、駆動部１５０に接続されている。駆動部１５０は、電気モータ１５１と、電気モータ１５１のモータ軸である第１の回転軸線１５２と、分離ブレード１１０の回転軸である第２の回転軸線１５３とから構成されている。
【００４７】
図２と図３に示すように、塵埃圧縮室２１０をダストカップ１０２の下部に取り付けると、ロータ２４０が塵埃圧縮室２１０の内部に収められ、蓋２３０が穴１２１を穴１２１の下方向からふさぐ。ロータ２４０の側壁面２４２は、塵埃圧縮室２１０の内周壁面２１２に対向する。
【００４８】
蓋２３０と円板２３１は、第１の塵埃移動部材の一例である。また、ロータ２４０とロータ軸２４１は、第２の塵埃移動部材の一例である。
【００４９】
以上のように構成された電気掃除機の動作について説明する。
【００５０】
まず、集塵手段５１の動作を説明する。
【００５１】
図３と図４に示すように、流入口１０３から分離室１０４に入った気流は、分離室１０４の内壁に沿って高速で旋回する。旋回気流中の塵埃には遠心力が作用して気流から分離されて、ダストカップ１０２の内壁へ押しつけられる。その後、気流は旋回しながら下降し、隙間１０９を通って集積室１０５に入る。図３中において二点鎖線で示す矢印Ａのように旋回しながら下降する気流は、集積室１０５の底面に到達した後は上昇に転じる。このように、分離ブレード１１０のまわりの間隙を旋回する気流の主流に対して、分離ブレード１１０に衝突する分流や、分離ブレード１１０に巻込まれる形で生じる小渦や剥離流れである分流などが生じる。分流は分離ブレード１１０によって急激に方向転換するので、その際にも回転遠心力と同様の塵埃分離に作用する力が生じる。分流においては小径の渦による遠心分離によって塵埃分離に作用する力が生じる。また、この渦に塵埃が捕らえられた状態のままとなるので、気流変動や電気掃除機１の運転停止によって、ダストカップ１０２の円筒軸中心部に塵埃が集積する。また、剥離流れから分離された塵埃もダストカップ１０２の円筒軸中心部に集積する。その後、上昇に転じた旋回気流は下降旋回気流の内側を通って図３に示す矢印Ｅのように上昇する。隙間１０９を経て、遮蔽部材１０８を越えて分離室１０４に戻ってきた気流は、排気筒１０６に向かって進み、最終的には排気口１０７から排気筒１０６の内部に吸い込まれて、上蓋部１０１を通ってから、電動送風機部５４（図２）に吸入される。
【００５２】
次に、塵埃の圧縮と蓄積の動作について、図３から図６を参照して説明する。
【００５３】
電動送風機部５４の駆動が停止されると、気流が旋回を止める。気流が旋回を止めると、ダストカップ１０２の内部において気流とともに旋回していた塵埃は、ダストカップ１０２の底面上に堆積する。
【００５４】
電動送風機部５４の駆動停止が確認された後、電気モータ１５１が駆動されると、電気モータ１５１の回転力が上蓋部１０１と排気筒１０６の接続部に伝達されて、排気筒１０６と排気口１０７と遮蔽部材１０８と分離ブレード１１０と分離ブレード軸１１１とロータ２４０と円板２３１とロータ軸２４１と蓋２３０とが一体となって、分離ブレード軸１１１を中心として、図５の矢印Ｄ方向に回転する。このようにして、電気モータ１５１の回転が第１の回転軸線１５２と第２の回転軸線１５３を介して分離ブレード軸１１１に伝達される。分離ブレード１１０が回転すると、分離ブレード１１０に付着している塵埃がダストカップ１０２の底面に振り落とされる。また、分離ブレード軸１１１が回転すると、円板２３１を介して分離ブレード軸１１１と連結されている蓋２３０と、ロータ軸２４１を介して分離ブレード軸１１１と連結されているロータ２４０も回転する。蓋２３０とロータ２４０は、同じ方向に回転する。
【００５５】
蓋２３０が回転することによって、ダストカップ１０２の底面に形成されている穴１２１が開放され、ダストカップ１０２の内部と塵埃圧縮室２１０の内部が連通する。穴１２１が開放されて、ダストカップ１０２の内部と塵埃圧縮室２１０の内部が連通すると、ダストカップ１０２の底面に堆積している塵埃は、穴１２１を通って、ダストカップ１０２の下部に接続されている塵埃圧縮室２１０の内部に落ち込む。
【００５６】
ロータ２４０が回転することによって、塵埃圧縮室２１０の内部に落ち込んだ塵埃が圧縮されながら塵埃蓄積室に移動させられる。この過程を順に説明する。
【００５７】
図７は、塵埃圧縮室の内部において、塵埃を圧縮しながら塵埃蓄積室に移動させるときのロータと蓋が移動する過程を順に示す図である。図７は、塵埃圧縮室を上方向から見たときの図である。
【００５８】
図７に示すように、塵埃圧縮室２１０の内部の空間は、ロータ２４０によって、２つに区分されている。図７の（Ａ）は、電動送風機部５４の駆動が停止された直後の塵埃圧縮室２１０の内部の状態を示す。すなわち、図７の（Ａ）は、塵埃圧縮室２１０の初期状態を示す。
【００５９】
電動送風機部５４の駆動が停止された直後には蓋２３０が穴１２１を下方向から塞いでいる。また、ロータ２４０が連結部２１１を塞いでいる。この状態を、ロータ２４０の初期状態とする。初期状態においては、塵埃圧縮室２１０内の空間は、ロータ２４０によって、２つの空間２１３ａと空間２１３ｂに区分されている。初期状態においては、穴１２１の下方の空間が空間２１３ａである。
【００６０】
分離ブレード軸の駆動部によって分離ブレードと分離ブレード軸が回転させられると、図７の（Ｂ）〜（Ｈ）に示すように、円板２３１が回転し、円板２３１に連結されているロータ軸２４１も回転する。ロータ２４０は、ロータ軸２４１を中心に回転されるようにロータ軸２４１に取り付けられているので、ロータ軸２４１が回転するに従って、ロータ２４０は、塵埃圧縮室２１０の内周壁面２１２に常に接触するように、ロータ軸２４１を中心に自転しながら、ロータ軸２４１、円板２３１、分離ブレード軸とともに回転する。また、円板２３１に連結されている蓋２３０も同様に回転する。このようにして、蓋２３０とロータ２４０が連動して回転する。ロータ２４０は、初期状態から、空間２１３ａが次第に狭くなるように、空間２１３ｂが次第に広くなるように、上方向から見て反時計回りに回転する。ロータ２４０が回転すると、連結部２１１が開放されて、塵埃圧縮室２１０の空間２１３ａと塵埃蓄積室２２０とが連通する。
【００６１】
蓋２３０が回転して、穴１２１が開放されると、ダストカップ１０２（図３）の底面上に堆積している塵埃が、穴１２１を通して塵埃圧縮室２１０の空間２１３ａ内に落ちる。ロータ２４０が回転すると、空間２１３ａは次第に狭くなる。
【００６２】
塵埃圧縮室２１０の内周壁面２１２は、ペリトロコイド曲線に基づく曲面を含むように形成されている。ロータ２４０においては、塵埃圧縮室２１０の内周壁面２１２と対向する側壁面２４２は、ペリトロコイド曲線の内包絡線に基づく曲面を含むように形成されている。そのため、ロータ２４０の側壁面２４２の一部が塵埃圧縮室２１０の内周壁面２１２に接触しながら、ロータ２４０が空間２１３ａを次第に狭めるように回転することによって、空間２１３ａ内の塵埃は、塵埃圧縮室２１０の内周壁面２１２に押圧されて、圧縮される。
【００６３】
ロータ２４０の回転が進み、空間２１３ａが狭くなると、空間２１３ａ内の塵埃は、圧縮された状態で、ロータ２４０によって連結部２１１に押し込まれ、さらに、塵埃蓄積室２２０内に押し込まれる。
【００６４】
分離ブレード軸が一回転すると、円板２３１、ロータ軸２４１、蓋２３０が初期状態の位置に戻る。ロータ２４０は、側壁面２４２で連結部２１１を塞ぐように配置され、空間２１３ｂが穴１２１の下になる。その後、図７の（Ａ）から（Ｈ）に示す過程が繰り返される。
【００６５】
なお、塵埃を圧縮するためにはある程度の力が必要であり、円板２３１とロータ軸２４１はギヤ構造にしなければならないが、第１実施形態では構造を簡単にするため省略している。また、ダストカップ１０２の底面に堆積した特定箇所の塵埃がダストカップ１０２内に残らないようにするために、分離ブレード１１０と穴１２１と蓋２３０の位置関係を調整し、例えば、分離ブレード１１０の直下に穴１２１を設けるようにしてもよい。
【００６６】
このようにして、サイクロン集塵部１００と塵埃圧縮室２１０と塵埃蓄積室２２０を空間的に分離することにより、塵埃を圧縮された状態に保持したままで、新たに電動送風機部５４を駆動させて集塵動作を行うことが可能な電気掃除機１を提供することができる。
【００６７】
以上のように、電気掃除機１は、吸込口を有する吸込口体１０と、吸気を発生させる電動送風機部５４と、吸気を電動送風機部５４に導く吸気通路と、吸気通路に配置され、吸気から塵埃を分離して捕集するサイクロン集塵部１００と、サイクロン集塵部１００において捕集された塵埃を圧縮する塵埃圧縮室２１０と、捕集された塵埃をサイクロン集塵部１００から塵埃圧縮室２１０に移動させる円板２３１と蓋２３０と、塵埃圧縮室２１０で圧縮された塵埃を蓄積する塵埃蓄積室２２０と、塵埃圧縮室２１０内で塵埃を圧縮しながら、塵埃圧縮室２１０から塵埃蓄積室２２０に移動させるロータ２４０とロータ軸２４１とを備える。
【００６８】
電動送風機部５４の駆動によって吸気が発生すると、吸込口体１０の吸込口から、外気とともに塵埃が電気掃除機１の内部に吸引される。電気掃除機１の内部に吸引された塵埃は、サイクロン集塵部１００内に捕集される。このとき、塵埃に弾性のある綿ホコリ等が含まれていると、塵埃は、密度が低く、体積が大きい状態でサイクロン集塵部１００内に捕集される。
【００６９】
サイクロン集塵部１００内に捕集されている塵埃は、円板２３１と蓋２３０によって、塵埃圧縮室２１０に移動させられる。塵埃圧縮室２１０においては、塵埃は、ロータ２４０とロータ軸２４１によって、圧縮されながら、塵埃蓄積室２２０に移動させられて、圧縮された状態で、塵埃蓄積室２２０の内部に蓄積される。
【００７０】
このように、塵埃は圧縮された状態で塵埃蓄積室２２０の内部に蓄積される。そのため、電気掃除機１が、綿ホコリのような、弾性を有し、密度が小さく体積が大きい塵埃を吸引しても、塵埃蓄積室２２０の内部に堆積する塵埃の体積を小さく保つことができる。このようにすることにより、使用者は、塵埃を頻繁に電気掃除機１の外部に廃棄する必要がなくなる。
【００７１】
また、塵埃を蓄積する塵埃蓄積室２２０は、塵埃を捕集するサイクロン集塵部１００とは別個に形成されている。そのため、圧縮された塵埃を、圧縮した状態で塵埃蓄積室２２０内に蓄積したままで、電動送風機部５４を駆動して、電気掃除機１が新たに外気とともに塵埃を吸引し、サイクロン集塵部１００内において新たに塵埃を捕集することができる。
【００７２】
サイクロン集塵部１００と塵埃蓄積室２２０が別個に形成されているので、電動送風機部５４を駆動して新たな塵埃を吸引し、サイクロン集塵部１００内に捕集する際、既に塵埃蓄積室２２０内に蓄積された塵埃は、塵埃蓄積室２２０内において圧縮された状態に保たれる。塵埃を長時間、圧縮された状態に保つことによって、綿ホコリのように弾性を有し、膨らみやすく、圧縮前の形状に復元されやすい塵埃も、完全に圧縮されるので、膨らんで元の状態に戻りにくくなる。
【００７３】
このようすることにより、塵埃を圧縮された状態に保持したままで集塵動作を行なうことが可能な電気掃除機１を提供することができる。
【００７４】
また、電気掃除機１においては、円板２３１と蓋２３０と、ロータ２４０とロータ軸２４１は、連動するように構成されている。
【００７５】
このようにすることにより、塵埃を効率よくサイクロン集塵部１００から塵埃圧縮室２１０、塵埃蓄積室２２０へと移動させることができる。
【００７６】
また、この発明に従った電気掃除機１においては、サイクロン集塵部１００には、塵埃圧縮室２１０に通じる穴１２１が形成されており、円板２３１と蓋２３０は、サイクロン集塵部１００の穴１２１を開放または閉塞することができるように配置された蓋２３０を含む。
【００７７】
このようにすることにより、塵埃蓄積室２２０や塵埃圧縮室２１０内の塵埃が、サイクロン集塵部１００内に逆流することを防ぐことができる。
【００７８】
また、この発明に従った電気掃除機１においては、サイクロン集塵部１００は、吸気を旋回させて塵埃を分離する分離室１０４と分離された塵埃を捕集する集積室１０５とを含み、サイクロン集塵部１００内に流入する吸気を分離室１０４と集積室１０５との間で分断するためにサイクロン集塵部１００内に配置された分離ブレード１１０をさらに備える。
【００７９】
このようにすることにより、遠心力を利用して、気流から塵埃を効果的に分離し、サイクロン集塵部１００内に捕集することができる。
【００８０】
また、この発明に従った電気掃除機１においては、円板２３１と蓋２３０と、ロータ２４０とロータ軸２４１は、分離ブレード１１０に連結されている。
【００８１】
このようにすることにより、電気掃除機１の構成部材を減らし、電気掃除機１を小型化することができる。
【００８２】
また、電気掃除機１は、分離ブレード１１０を駆動させるための駆動部１５０をさらに備える。
【００８３】
このようにすることにより、分離ブレード１１０に付着している塵埃を振り落として、サイクロン集塵部１００内に残る塵埃をより少なくすることができる。
【００８４】
また、電気掃除機１においては、塵埃圧縮室２１０は内周壁面２１２を有し、ロータ２４０とロータ軸２４１は、捕集された塵埃を塵埃圧縮室２１０の内周壁面２１２に押圧しながら移動させるように回転するロータ２４０を含む。
【００８５】
このようにすることにより、塵埃を効率よく圧縮することができる。
【００８６】
また、電気掃除機１においては、塵埃圧縮室２１０の内周壁面２１２は、ペリトロコイド曲線に基づく曲面を含み、ロータ２４０は、塵埃圧縮室２１０の内周壁面２１２に対向する側壁面２４２を有し、ロータ２４０の側壁面２４２は、ペリトロコイド曲線の内包絡線に基づく曲面を含む。
【００８７】
このようにすることにより、回転動力によって塵埃を直接、圧縮することができる。
【００８８】
また、電気掃除機１においては、円板２３１と蓋２３０と、ロータ２４０とロータ軸２４１は、電動送風機部５４が駆動を停止した後に移動を開始するように構成されている。
【００８９】
このようにすることにより、電動送風機部５４において発生する吸引力によって塵埃がサイクロン集塵部１００等に逆流することがなくなる。
【００９０】
（第２実施形態）
第２実施形態の電気掃除機と第１実施形態の電気掃除機とは、図２に示す集塵手段５１が備える塵埃圧縮室の構成が異なる。第２実施形態の電気掃除機のその他の構成は、第１実施形態の電気掃除機と同様である。
【００９１】
図８は、この発明の第２実施形態として、電気掃除機の集塵手段の全体を概略的に示す図である。図９は、第２実施形態の電気掃除機の集塵手段の全体を示す断面図である。図１０は、第２実施形態の集塵手段を構成するサイクロン集塵部のダストカップを、斜め下方向から見たときの一部断面斜視図である。
【００９２】
図８から図１０に示すように、第２実施形態の電気掃除機が備える塵埃捕集室としてサイクロン集塵部１００の構成は、第１実施形態のサイクロン集塵部１００と同様である。第１実施形態のサイクロン集塵部１００と同一の部分には、同一の符号を付している。
【００９３】
図１０に示すように、第２実施形態のサイクロン集塵部１００は、第１実施形態のサイクロン集塵部１００とは、ダストカップ１０２の底面に形成されている開口部として穴１２２の形状において異なる。穴１２２の形状は、第１実施形態においても第２実施形態の穴１２２の形状としてもよいし、第２実施形態においても、第１実施形態の穴１２１の形状としてもよい。
【００９４】
図１１は、塵埃圧縮室と塵埃蓄積室の全体を、遮蔽部材、分離ブレード、分離ブレード軸とともに示す斜視図である。図１２は、塵埃圧縮室と塵埃蓄積室の全体を示す斜視図である。
【００９５】
図１１と図１２に示すように、塵埃圧縮室３１０と塵埃蓄積室３２０は、連結部３１１によって接続されている。連結部３１１は中空であり、塵埃圧縮室３１０内の塵埃は、連結部３１１を通って、塵埃蓄積室３２０内に移動することができる。塵埃圧縮室３１０の内周壁面３１２は、円筒の内周面状に形成されている。塵埃圧縮室３１０の内部にはロータ３４０が配置される。
【００９６】
サイクロン集塵部１００の遮蔽部材１０８に接合されている分離部材として分離ブレード１１０の分離ブレード軸１１１の下部には、第１歯車３４３ａが接続されている。第１歯車３４３ａは、開閉部材として蓋３３０に接続されている。第１歯車３４３ａには、第３歯車３４３ｃが噛み合い、第３歯車３４３ｃには、第２歯車３４３ｂが噛み合っている。ロータ３４０は、第２歯車３４３ｂを中心に回転可能であるように、第２歯車３４３ｂに接続されている。組立て時には、ロータ３４０の底面と、塵埃圧縮室３１０の内底面が接するようにする。
【００９７】
分離ブレード１１０の分離ブレード軸１１１の回転軸は、駆動部１５０に接続されている。駆動部１５０は、電気モータ１５１と、電気モータ１５１のモータ軸である第１の回転軸線１５２と、分離ブレード１１０の回転軸である第２の回転軸線１５３とから構成されている。電気モータ１５１が駆動すると、電気モータ１５１の回転力が上蓋部１０１（図９）と排気筒１０６（図９）の接続部に伝達されて、排気筒１０６と排気口１０７と遮蔽部材１０８（図９）と分離ブレード１１０と分離ブレード軸１１１とロータ３４０と蓋３３０とが一体となって、分離ブレード軸１１１を中心として、図１１の矢印Ｄ方向に回転する。このようにして、電気モータ１５１の回転が第１の回転軸線１５２と第２の回転軸線１５３を介して分離ブレード軸１１１に伝達される。
【００９８】
ロータ３４０には、第１ベーン３４１ａと第２ベーン３４１ｂが連結されている。第１ベーン３４１ａと第２ベーン３４１ｂは、それぞれ、第１ばねと第２ばねを介してロータ３４０に接続されている。第１ベーン３４１ａと第２ベーン３４１ｂは、第１ばねと第２ばねによって、ロータ３４０の回転中心、すなわち、第２歯車３４３ｂから離れて塵埃圧縮室３１０の内周壁面に向かう方向に付勢されており、第１ベーン３４１ａと第２ベーン３４１ｂの先端部は、塵埃圧縮室３１０の内周壁面に接している。
【００９９】
第１歯車３４３ａと蓋３３０は、第１の塵埃移動部材の一例である。また、ロータ３４０と、第２歯車３４３ｂと、第１ベーン３４１ａと、第２ベーン３４１ｂとは、第２の塵埃移動部材の一例である。
【０１００】
図８と図９に示すように、塵埃圧縮室３１０をダストカップ１０２の下部に取り付けると、ロータ３４０が塵埃圧縮室３１０の内部に収められ、蓋３３０が穴１２２を穴１２２の下方向からふさぐ。
【０１０１】
図１３は、塵埃圧縮室の内部において、塵埃を圧縮しながら塵埃蓄積室に移動させるときの過程を順に示す図である。図１３は、塵埃圧縮室を上方向から見たときの図である。  図１４は、塵埃圧縮室の内部において、塵埃を圧縮しながら塵埃蓄積室に移動させるときのロータと蓋が移動する過程を順に示す図である。図１３は、塵埃圧縮室を上方向から見たときの図である。
【０１０２】
図１３と図１４に示すように、塵埃圧縮室３１０の内部の空間は、ロータ３４０と第１ベーン３４１ａと第２ベーン３４１ｂとによって、２つに区分されている。図１３（Ａ）と図１４（Ａ）は、電動送風機部５４の駆動が停止された直後の塵埃圧縮室３１０の内部の状態を示す。すなわち、図１３（Ａ）と図１４（Ａ）は、塵埃圧縮室３１０の初期状態を示す。
【０１０３】
電動送風機部５４の駆動が停止された直後には蓋３３０が穴１２２を下方向から塞いでいる。この状態を、ロータ３４０の初期状態とする。初期状態においては、塵埃圧縮室３１０内の空間は、ロータ３４０と第１ベーン３４１ａと第２ベーン３４１ｂとによって、２つの空間３１３ａと空間３１３ｂに区分されている。図１３（Ａ）と図１４（Ａ）に示す初期状態において、穴１２２の下方の空間が空間３１３ａである。
【０１０４】
電動送風機部５４の駆動が停止された後、分離ブレード軸の駆動部によって分離ブレードと分離ブレード軸が回転させられる。図１３の（Ｂ）〜（Ｆ）と図１４の（Ｂ）〜（Ｆ）に示すように、分離ブレード軸が回転すると、分離ブレード軸と接続されている第１歯車３４３ａが回転する。第１歯車３４３ａが回転すると、第１歯車３４３ａと噛み合う第３歯車３４３ｃは、第１歯車３４３ａと逆方向に回転する。第３歯車３４３ｃが回転すると、第３歯車３４３ｃと噛み合う第２歯車３４３ｂが第３歯車３４３ｃと逆方向に、第１歯車３４３ａの回転方向と同じ方向に回転する。このようにして、第１歯車３４３ａと第２歯車３４３ｂが同じ方向に回転すると、第１歯車３４３ａに連結されている蓋３３０と、第２歯車３４３ｂに連結されているロータ３４０が同じ方向に回転する。このようにして、蓋３３０とロータ３４０が連動して回転する。
【０１０５】
ロータ３４０が回転すると、ロータ３４０にばねで連結されている第１ベーン３４１ａと第２ベーン３４１ｂは、ロータ３４０の中心から塵埃圧縮室３１０の内周壁面に向かって第１ばね３４２ａと第２ばね３４２ｂによって付勢されているので、第１ベーン３４１ａと第２ベーン３４１ｂの先端が塵埃圧縮室３１０の内周壁面に接触したままで、第１ベーン３４１ａと第２ベーン３４１ｂも回転する。そのため、２つの空間３１３ａと空間３１３ｂは、第１ベーン３４１ａと第２ベーン３４１ｂとロータ３４０とで区切られたままであり、２つの空間３１３ａと空間３１３ｂの間で塵埃が移動することはない。ロータ３４０は、初期状態から、空間３１３ａが次第に狭くなり、空間３１３ｂが次第に広くなるように、上方向から見て反時計回りに回転する。
【０１０６】
蓋３３０が回転して、穴１２２が開放されると、ダストカップ１０２の底面上に堆積している塵埃４００が、穴１２２を通して塵埃圧縮室３１０の空間３１３ａ内に落ちる。ロータ３４０が回転すると、空間３１３ａは次第に狭くなる。
【０１０７】
ロータ３４０の回転が進み、空間３１３ａが狭くなると、空間３１３ａ内の塵埃４００は、圧縮された状態で、ロータ３４０によって連結部３１１に押し込まれ、さらに、塵埃蓄積室３２０内に押し込まれる。
【０１０８】
分離ブレード軸が一回転すると、ロータ３４０と蓋３３０が初期状態の位置に戻る。蓋３３０は穴１２２を閉塞する。その後、図１３（Ａ）〜（Ｆ）と図１４（Ａ）〜（Ｆ）に示す過程が繰り返される。
【０１０９】
なお、ダストカップ１０２の底面に堆積した特定箇所の塵埃４００がダストカップ１０２内に残らないようにするために、分離ブレード１１０と穴１２２と蓋３３０の位置関係を調整し、例えば、分離ブレード１１０の直下に穴１２２を設けるようにしてもよい。
【０１１０】
このようにして、サイクロン集塵部１００と塵埃圧縮室３１０と塵埃蓄積室３２０を空間的に分離することにより、塵埃４００を圧縮された状態に保持したままで、新たに電動送風機部５４を駆動させて集塵動作を行うことが可能な電気掃除機１を提供することができる。
【０１１１】
以上のように、電気掃除機１は、吸込口を有する吸込口体１０と、吸気を発生させる電動送風機部５４と、吸気を電動送風機部５４に導く吸気通路と、吸気通路に配置され、吸気から塵埃４００を分離して捕集するサイクロン集塵部１００と、サイクロン集塵部１００において捕集された塵埃４００を圧縮する塵埃圧縮室３１０と、捕集された塵埃４００をサイクロン集塵部１００から塵埃圧縮室３１０に移動させる第１歯車３４３ａと蓋３３０と、塵埃圧縮室３１０で圧縮された塵埃４００を蓄積する塵埃蓄積室３２０と、塵埃圧縮室３１０内で塵埃４００を圧縮しながら、塵埃圧縮室３１０から塵埃蓄積室３２０に移動させるロータ３４０と第１ベーン３４１ａと第２ベーン３４１ｂと第２歯車３４３ｂとを備える。
【０１１２】
電動送風機部５４の駆動によって吸気が発生すると、吸込口体１０の吸込口から、外気とともに塵埃４００が電気掃除機１の内部に吸引される。電気掃除機１の内部に吸引された塵埃４００は、サイクロン集塵部１００内に捕集される。このとき、塵埃４００に弾性のある綿ホコリ等が含まれていると、塵埃４００は、密度が低く、体積が大きい状態でサイクロン集塵部１００内に捕集される。
【０１１３】
サイクロン集塵部１００内に捕集されている塵埃４００は、第１歯車３４３ａと蓋３３０によって、塵埃圧縮室３１０に移動させられる。塵埃圧縮室３１０においては、塵埃４００は、ロータ３４０と第１ベーン３４１ａと第２ベーン３４１ｂと第２歯車３４３ｂによって、圧縮されながら、塵埃蓄積室３２０に移動させられて、圧縮された状態で、塵埃蓄積室３２０の内部に蓄積される。
【０１１４】
このように、塵埃４００は圧縮された状態で塵埃蓄積室３２０の内部に蓄積される。そのため、電気掃除機１が、綿ホコリのような、弾性を有し、密度が小さく体積が大きい塵埃４００を吸引しても、塵埃蓄積室３２０の内部に堆積する塵埃４００の体積を小さく保つことができる。このようにすることにより、使用者は、塵埃４００を頻繁に電気掃除機１の外部に廃棄する必要がなくなる。
【０１１５】
また、塵埃４００を蓄積する塵埃蓄積室３２０は、塵埃４００を捕集するサイクロン集塵部１００とは別個に形成されている。そのため、圧縮された塵埃４００を、圧縮した状態で塵埃蓄積室３２０内に蓄積したままで、電動送風機部５４を駆動して、電気掃除機１が新たに外気とともに塵埃４００を吸引し、サイクロン集塵部１００内において新たに塵埃４００を捕集することができる。
【０１１６】
サイクロン集塵部１００と塵埃蓄積室３２０が別個に形成されているので、電動送風機部５４を駆動して新たな塵埃４００を吸引し、サイクロン集塵部１００内に捕集する際、既に塵埃蓄積室３２０内に蓄積された塵埃４００は、塵埃蓄積室３２０内において圧縮された状態に保たれる。塵埃４００を長時間、圧縮された状態に保つことによって、綿ホコリのように弾性を有し、膨らみやすく、圧縮前の形状に復元されやすい塵埃４００も、完全に圧縮されるので、膨らんで元の状態に戻りにくくなる。
【０１１７】
このようにすることにより、塵埃４００を圧縮された状態に保持したままで集塵動作を行なうことが可能な電気掃除機１を提供することができる。
【０１１８】
また、電気掃除機１においては、第１歯車３４３ａと蓋３３０と、ロータ３４０と第１ベーン３４１ａと第２ベーン３４１ｂと第２歯車３４３ｂは、連動するように構成されている。
【０１１９】
このようにすることにより、塵埃４００を効率よくサイクロン集塵部１００から塵埃圧縮室３１０、塵埃蓄積室３２０へと移動させることができる。
【０１２０】
また、この発明に従った電気掃除機１においては、サイクロン集塵部１００には、塵埃圧縮室３１０に通じる穴１２２が形成されており、第１歯車３４３ａと蓋３３０は、サイクロン集塵部１００の穴１２２を開放または閉塞することができるように配置された蓋３３０を含む。
【０１２１】
このようにすることにより、塵埃蓄積室３２０や塵埃圧縮室３１０内の塵埃４００が、サイクロン集塵部１００内に逆流することを防ぐことができる。
【０１２２】
また、この発明に従った電気掃除機１においては、サイクロン集塵部１００は、吸気を旋回させて塵埃４００を分離する分離室１０４と分離された塵埃４００を捕集する集積室１０５とを含み、サイクロン集塵部１００内に流入する吸気を分離室１０４と集積室１０５との間で分断するためにサイクロン集塵部１００内に配置された分離ブレード１１０をさらに備える。
【０１２３】
このようにすることにより、遠心力を利用して、気流から塵埃４００を効果的に分離し、サイクロン集塵部１００内に捕集することができる。
【０１２４】
また、この発明に従った電気掃除機１においては、第１歯車３４３ａと第２歯車３４３ｂは、分離ブレード１１０の分離ブレード軸１１１に連結されている。
【０１２５】
このようにすることにより、電気掃除機１の構成部材を減らし、電気掃除機１を小型化することができる。
【０１２６】
また、電気掃除機１は、分離ブレード１１０を駆動させるための駆動部１５０をさらに備える。
【０１２７】
このようにすることにより、分離ブレード１１０に付着している塵埃４００を振り落として、サイクロン集塵部１００内に残る塵埃４００をより少なくすることができる。
【０１２８】
また、電気掃除機１においては、第１歯車３４３ａと蓋３３０と、ロータ３４０と第１ベーン３４１ａと第２ベーン３４１ｂと第２歯車３４３ｂは、電動送風機部５４が駆動を停止した後に移動を開始するように構成されている。
【０１２９】
このようにすることにより、電動送風機部５４において発生する吸引力によって塵埃４００がサイクロン集塵部１００等に逆流することがなくなる。
【０１３０】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【０１３１】
【図１】この発明の第１実施形態として、電気掃除機の全体を概略的に示す図である。
【図２】この発明の第１実施形態として、電気掃除機の本体の構成を概略的に示す図である。
【図３】サイクロン集塵部の構造を示す断面図である。
【図４】サイクロン集塵部を斜め下方向から見たときの構造を示す一部断面斜視図である。
【図５】塵埃圧縮室と塵埃蓄積室の全体を、遮蔽部材、分離ブレード、分離ブレード軸とともに示す斜視図である。
【図６】塵埃圧縮室と塵埃蓄積室の全体を示す斜視図である。
【図７】塵埃圧縮室の内部において、塵埃を圧縮しながら塵埃蓄積室に移動させるときのロータと蓋が移動する過程を順に示す図である。
【図８】この発明の第２実施形態として、電気掃除機の集塵手段の全体を概略的に示す図である。
【図９】第２実施形態の電気掃除機の集塵手段の全体を示す断面図である。
【図１０】第２実施形態の集塵手段を構成するサイクロン集塵部のダストカップを、斜め下方向から見たときの一部断面斜視図である。
【図１１】塵埃圧縮室と塵埃蓄積室の全体を、遮蔽部材、分離ブレード、分離ブレード軸とともに示す斜視図である。
【図１２】塵埃圧縮室と塵埃蓄積室の全体を示す斜視図である。
【図１３】塵埃圧縮室の内部において、塵埃を圧縮しながら塵埃蓄積室に移動させるときの過程を順に示す図である。
【図１４】塵埃圧縮室の内部において、塵埃を圧縮しながら塵埃蓄積室に移動させるときのロータと蓋が移動する過程を順に示す図である。
【符号の説明】
【０１３２】
１：電気掃除機、１０：吸込口体、２０：吸引パイプ、３０：接続パイプ、４０：サクションホース、５４：電動送風機部、１００：サイクロン集塵部、１０４：分離室、１０５：集積室、１１０：分離ブレード、１２１，１２２：穴、２００，３００：塵埃圧縮室、２１２：内周壁面、２２０，３２０：塵埃蓄積室、２３０，３３０：蓋、２３１：円板、２４０，３４０：ロータ、２４１：ロータ軸、２４２：ロータ側壁面、３４１ａ：第１ベーン、３４１ｂ：第２ベーン、３４３ａ：第１歯車、３４３ｂ：第２歯車。
【図１】
2009148345.tif 000003
【図２】
2009148345.tif 000004
【図３】
2009148345.tif 000005
【図４】
2009148345.tif 000006
【図５】
2009148345.tif 000007
【図６】
2009148345.tif 000008
【図７】
2009148345.tif 000009
【図８】
2009148345.tif 000010
【図９】
2009148345.tif 000011
【図１０】
2009148345.tif 000012
【図１１】
2009148345.tif 000013
【図１２】
2009148345.tif 000014
【図１３】
2009148345.tif 000015
【図１４】
2009148345.tif 000016